(57)【要約】【課題】  画像効果処理の効果を簡単に確認することができる。【解決手段】  画像効果処理支援装置は、画像に対して画像効果処理を施す画像効果処理部と、上記画像効果処理後の画像を所定のフレームレートで表示するための表示制御部と、上記画像に対する上記画像効果処理の変更を検出する画像効果変更判定部と、上記画像効果処理が変更されると、上記表示制御部を制御して上記画像効果処理後の画像のフレームレートを変更する視認性アシスト表示制御部と、を具備する。【選択図】図１
2017017435.tif 000002
【特許請求の範囲】
【請求項１】
画像に対して画像効果処理を施す画像効果処理部と、
上記画像効果処理後の画像を所定のフレームレートで表示するための表示制御部と、
上記画像に対する上記画像効果処理の変更を検出する画像効果変更判定部と、
上記画像効果処理が変更されると、上記表示制御部を制御して上記画像効果処理後の画像のフレームレートを変更する視認性アシスト表示制御部と、
を具備したことを特徴とする画像効果処理支援装置。
【請求項２】
上記画像効果変更判定部は、上記画像効果処理を変更する操作を検出することで上記画像効果処理の変更を検出する
ことを特徴とする請求項１に記載の画像効果処理支援装置。
【請求項３】
上記視認性アシスト表示制御部は、上記画像効果処理が変更されると、変更後の第１の期間に上記画像効果処理後の画像を静止画表示させる
ことを特徴とする請求項１又は２に記載の画像効果処理支援装置。
【請求項４】
上記視認性アシスト表示制御部は、上記第１の期間後の第２の期間に、上記画像効果処理後の画像を通常のフレームレートよりも低いフレームレートで表示させる
ことを特徴とする請求項３に記載の画像効果処理支援装置。
【請求項５】
上記視認性アシスト表示制御部は、上記画像効果処理が変更されると、変更後に通常のフレームレートよりも低いフレームレートを設定するともに、時間の経過に従って通常のフレームレートまでフレームレートを次第に高くする
ことを特徴とする請求項１又は２に記載の画像効果処理支援装置。
【請求項６】
画像に対して画像効果処理を施す画像効果処理ステップと、
上記画像効果処理後の画像を所定のフレームレートで表示するための表示制御ステップと、
上記画像に対する上記画像効果処理の変更を検出する画像効果変更判定ステップと、
上記画像効果処理が変更されると、上記画像効果処理後の画像のフレームレートを変更する視認性アシスト表示制御ステップと、
を具備したことを特徴とする画像効果処理支援方法。
【請求項７】
コンピュータに、
画像に対して画像効果処理を施す画像効果処理ステップと、
上記画像効果処理後の画像を所定のフレームレートで表示するための表示制御ステップと、
上記画像に対する上記画像効果処理の変更を検出する画像効果変更判定ステップと、
上記画像効果処理が変更されると、上記画像効果処理後の画像のフレームレートを変更する視認性アシスト表示制御ステップと、
を実行させるための画像効果処理支援プログラム。
【発明の詳細な説明】
【技術分野】
【０００１】
本発明は、画像に様々な特殊効果処理（フィルタ効果処理）を付加した撮影が可能な撮影機器に好適な画像効果処理支援装置、画像効果処理支援方法及び画像効果処理支援プログラムに関する。
【背景技術】
【０００２】
近年、デジタルカメラなどの撮影機能付き携帯機器（撮影機器）が普及している。この種の撮影機器においては表示部を有して、撮影画像を表示する機能を有するものもある。更に、表示部にメニュー画面を表示して、撮影機器の操作を容易にしたものもある。
【０００３】
また、撮像画像に対して、所定のフイルタ効果処理を適用する撮影モードを備えた撮影機器も開発されている。例えば、所定のフィルタ効果処理を撮像画像に施すことで、被写体に撮影者のこだわりを付与したり、それを明瞭に表示する等の各種画像処理が可能である。
【０００４】
これは、色彩のバランス、コントラスト、画像内の位置による処理の傾向を変更したりすることでユーザのこだわりを強調するものが多いが、画面の滑らかさやざらざら感を強調した画像処理もある。例えば、銀塩写真においては、使用する銀塩フィルムの銀粒子の特性等に応じて写真画質の粗さが変化し、表面のざらついた感じ（以下、粒状感という）が大きくなることがある。粒状感は、感度の高いフィルムで目立ち、銀粒子のサイズが大きい程大きく感じられるのが一般的である。粒状感は、被写体の存在感や質感を向上させる等の表現上の利点があり、特にモノクロ画像において有効な場合がある。これは、高感度フィルムで決定的瞬間を手ブレなく撮影するドキュメンタリー画像で使われることが多かった絵作りであって、デジタルカメラにおいても、フィルタ効果処理によって、撮像画像にこのような粒状感を付加することが可能であり、これにより、臨場感や劇的な瞬間を捉えたような画像効果を向上させることができる。
【０００５】
例えば、特許文献１においては、撮影条件設定ダイヤルにより銀塩カメラの撮影条件や現像条件を任意に設定して銀塩カメラで撮影したのとほぼ同じ写真が得られるような画像データを生成する技術が開示されている。特許文献１の装置では、ノイズコントロールダイヤルにより粒状性ノイズの付与率を設定するようにしておいて銀塩カメラで撮影して得た写真の粒状感を表わす粒状性データを画像データに重畳し、その画像データを基に画像を得ることができるようになっている。
【先行技術文献】
【特許文献】
【０００６】
【特許文献１】特開２００７−１９６１７号公報
【発明の概要】
【発明が解決しようとする課題】
【０００７】
しかしながら、接眼式の電子ファインダや、装置の背面に設けた表示画面に表示されるスルー画は、動画状態で表示されるので、被写体の動きによって、画像処理による絵柄の変化が確認し難くなる。このように、スルー画では、粒状性ノイズの効果は確認しづらく、撮影のまさにその時、その対象物を撮影するのに、ユーザにとって粒状性ノイズを付加した方がよいか否か、また、粒状性ノイズをどの程度付加すれば良いか等の判断は容易ではない。このため、ユーザにとって、粒状感を付加するフィルタ効果処理は効果の見極めに経験が必要であった。なお、粒状感を付加するフィルタ処理に限らず、静止画に対する画像効果処理を動画状態で確認することは容易ではない場合がある。
【０００８】
本発明は、様々な特殊効果処理の効果を付与した場合にその効果を簡単に確認することができる画像効果処理支援装置、画像効果処理支援方法及び画像効果処理支援プログラムを提供することを目的とする。
【課題を解決するための手段】
【０００９】
本発明に係る画像効果処理支援装置は、画像に対して画像効果処理を施す画像効果処理部と、上記画像効果処理後の画像を所定のフレームレートで表示するための表示制御部と、上記画像に対する上記画像効果処理の変更を検出する画像効果変更判定部と、上記画像効果処理が変更されると、上記表示制御部を制御して上記画像効果処理後の画像のフレームレートを変更する視認性アシスト表示制御部と、を具備する。
【００１０】
また、本発明に係る画像効果処理支援方法は、画像に対して画像効果処理を施す画像効果処理ステップと、上記画像効果処理後の画像を所定のフレームレートで表示するための表示制御ステップと、上記画像に対する上記画像効果処理の変更を検出する画像効果変更判定ステップと、上記画像効果処理が変更されると、上記画像効果処理後の画像のフレームレートを変更する視認性アシスト表示制御ステップと、を具備する。
【００１１】
また、本発明に係る画像効果処理支援プログラムは、コンピュータに、画像に対して画像効果処理を施す画像効果処理ステップと、上記画像効果処理後の画像を所定のフレームレートで表示するための表示制御ステップと、上記画像に対する上記画像効果処理の変更を検出する画像効果変更判定ステップと、上記画像効果処理が変更されると、上記画像効果処理後の画像のフレームレートを変更する視認性アシスト表示制御ステップと、を実行させる。
【発明の効果】
【００１２】
本発明によれば、画像効果処理の効果を簡単に確認することができるという効果を有する。
【図面の簡単な説明】
【００１３】
【図１】本発明の一実施の形態に係る画像効果処理支援装置が組み込まれた撮影機器の回路構成を示すブロック図。
【図２】図１の撮影機器の外観の一例を示す説明図。
【図３】横軸に画面水平位置をとり縦軸にレベルをとって、粒状性ノイズによる粒状感の効果を説明するための説明図。
【図４】第１の実施の形態の動作を説明するためのフローチャート。
【図５】撮影の様子を説明するための説明図。
【図６】粒状撮影モード時の画面表示を説明するための説明図。
【図７】図６中の視認性アシスト表示制御の一例を示すフローチャート。
【図８】粒度の調整操作に対応した粒状性ノイズの一例を示す説明図。
【図９】粒状撮影モードにおいて粒度を変化させた場合の画像を説明するための説明図。
【図１０】本発明の第２の実施の形態において採用される視認性アシスト表示制御を示すフローチャート。
【発明を実施するための形態】
【００１４】
以下、図面を参照して本発明の実施の形態について詳細に説明する。
【００１５】
（第１の実施の形態）
図１は本発明の第１の実施の形態に係る画像効果処理支援装置が組み込まれた撮影機器の回路構成を示すブロック図である。また、図２は図１の撮影機器の外観の一例を示す説明図である。
【００１６】
本実施の形態は撮像時に撮像画像に粒状感を付与する特殊効果画像処理撮影（フィルタ）モード（以下、粒状撮影モードという）におけるスルー画表示において、粒状感の効果をユーザに容易に手際よく視認性よく迅速に確認させるために、所定期間、静止画によるスルー画表示を行ったり、表示フレームレートを低減させたりするものである。また、本実施の形態は、ユーザに粒状感を増減させる程度（以下、粒度という）を変更可能にさせると共に、変更後の粒状感の効果を静止画等によってユーザが確認できるようにすることで、効果的な粒状感の設定を行えるようにするものである。
【００１７】
粒状撮影モードは、例えばランダムノイズ等の所定の信号（以下、粒状性ノイズという）や例えば曇りガラス等の粒状のパターン（以下、粒状性パターンという）等を撮像画像に加えるモードであり、銀塩写真における銀粒子の特性に応じた粒状感と同様の粒状感を得るものである。銀塩写真では、銀粒子の大きさ等に応じた粒度が得られるので、選んだフィルム感度によって粒状感が異なる。これによって個性的な表現を行う作家もいた。これに倣って、粒状撮影モードにおいては、粒状性ノイズの振幅及び周波数、粒状性パターンの振幅（コントラスト）及び空間周波数を変化させて粒度を変化させる。例えば、一般的には、粒状性ノイズ及び粒状性パターンの振幅及び周期が大きい程、粒度は大きくなる。こうした特性を利用することで、撮影画像に個性的な表現を与えることが出来る。
【００１８】
また、画像表面のざらつきの感じを変化させるために、粒状性ノイズ又は粒状性パターンを撮像画像に付加する例を説明するが、画像の質感を変化させるものとしては、単なるドットだけでなく、所定の模様等であってもよく、このような模様を含むパターン等を撮像画像に付加するようにしてもよい。以下の説明では、撮像画像に粒状性ノイズを付加する例について言及しているが、粒状性パターンや所定模様のパターンを付加する場合にも同様に適用可能である。特に、ノイズ性を利用した画像処理では、その経時変化によって刻一刻と状況が変わるので、画像取得と表示を繰り返すスルー画状態では、静止画時と印象が変わる場合が多かった。また、ノイズ性に係わらず、被写体の状況によって変化する画像処理では、被写体の動きやフレーミングの変化によって画像の印象が大きく変化するので、動画的に被写体を観察できるようにすると共に、静止画化した時の印象が分かるような静止画的な表示とすることが好ましい。低いフレームレートとすることで、これらの要求を満たす事が可能となる。ただし、被写体の動きが激しい場合などは、フレームアウトしないように、フレームレートを高めてもよい。
【００１９】
ところで、各撮像画像に同一の粒状性ノイズを加えた場合でも、得られる粒状感は画像毎に異なる。例えば、粒状性ノイズとしてランダムノイズを画像信号に一様に加えるものとする。なお、ランダムノイズは、レベル等はランダムに変化するが、平均的なレベルは一定であるものとする。
【００２０】
図３は横軸に画面水平位置をとり縦軸にレベルをとって、粒状性ノイズによる粒状感の効果を説明するための説明図である。図３（ａ）は粒状感を付与する撮像画像を示し、図３（ｂ）は粒状性ノイズであるランダムノイズを示し、図３（ｃ）は粒状性ノイズが付加された撮像画像（合成画像）の粒状感確認領域における像信号を示している。
【００２１】
図３（ａ）に示す撮像画像は、画面左端側において像信号のレベルが高く白飛びが生じており、画面中央において比較的細かい絵柄部分があり、この絵柄部分から画面右側に向かってレベルがなだらかに変化する部分があり、画面右端は、像信号のレベルが低く黒つぶれしている。粒状撮影モードにおいて、図３（ａ）に示す撮像画像に図３（ｂ）に示す粒状性ノイズを加える。
【００２２】
白飛びが生じている部分に粒状性ノイズを加えても白飛びの状態は変化しないので、この部分からは粒状感は得られない。また、黒つぶれしている部分に粒状性ノイズを加えても黒つぶれの状態は変化しないので、この部分からも粒状感は得られない。また、細かい絵柄部分は粒状性ノイズの影響を受けるが、画像の絵柄によって、粒状性ノイズによる画像の変化は確認しにくい。つまり、細かい絵柄部分では粒状性ノイズの効果は比較的小さい。
【００２３】
これに対し、白飛び及び黒つぶれが生じておらず、且つ、像信号のレベルが一定又はなだらかに変化する部分については、図３（ｃ）に示すように、粒状性ノイズは、なだらかに変化する信号に付加されて視認性が良く、画面上で目立ち、粒状感の効果が比較的高い。
【００２４】
また、通常のスルー画は、被写体の動きに追従するために比較的高いフレームレートで表示の更新を行っている。画像効果処理による微妙な画像の変化は、被写体の動きによって目立たなくなったしまうことがある。例えば、粒状性ノイズによる画像の変化は、画像の動きによるちらつきによって確認しづらくなる。このような比較的繊細な画像効果処理を撮像画像に施す場合には、被写体の動き等による画像の変化を低減させた方が、画像効果処理による粒状感等の画像効果の確認が容易になると考えられる。もちろん、前述のように被写体の動きに起因して画像処理の印象が変わるものは多数あるので、画像の変化を低減させる方が良いのは、粒状感に関する画像処理に限るものではない。
【００２５】
このように、各画像に同様の粒状性ノイズを加えた場合でも、画像毎の特徴等によって粒状感の効果は一様ではなく、実際の画像毎に粒状感の効果を確認する必要がある。しかし、静止画像に付加した画像効果処理を、スルー画による動画状態で確認することは困難である。
【００２６】
そこで、本実施の形態においては、撮像画像に対する画像効果処理を変更する毎に、所定期間静止画又は低フレームレートによって撮像画像を表示する視認性アシスト表示を採用することによって、粒状感等の画像効果処理の効果の確認を容易にしている。
【００２７】
図１において、撮影機器１０には、前面に撮像部１２が設けられている。撮像部１２は、ＣＣＤやＣＭＯＳセンサ等の撮像素子によって構成された撮像素子１２ｂを有している。また、撮像部１２は、撮像素子１２ｂに被写体光学像を導くレンズ部１２ａを有している。レンズ部１２ａは、ズームやフォーカシングのための図示しないレンズ等を備えており、これらのレンズは画像処理制御部１１によって駆動制御されるようになっている。撮像部１２は、画像処理制御部１１によって、ピント位置、ズーム位置及び絞り等が制御される。撮像素子１２ｂは、レンズ部１２ａからの被写体光学像を光電変換して撮影画像を得る。
【００２８】
画像処理制御部１１は、例えば、図示しないＣＰＵ等のプロセッサによって構成されて、メモリに記憶されたプログラムに従ってカメラ制御を行うものであってもよい。画像処理制御部１１は、撮像部１２に撮像素子の駆動信号を出力してシャッタースピード、露光時間等を制御すると共に、撮像部１２からの撮影画像を読み出す。画像処理制御部１１は、読み出した撮影画像に対して、所定の信号処理、例えば、色調整処理、マトリックス変換処理、ノイズ除去処理、その他各種の信号処理を行う。
【００２９】
撮影機器１０の各回路は図２の筐体１０ａ内に収納される。筐体１０ａの前面側には、レンズ部１２ａが配置されている。レンズ部１２ａの周囲にはリング操作部２１が配設されている。また、筐体１０ａの上面にはシャッタボタン２２及び２つのダイヤル操作部２３ａ，２３ｂが配設されている。
【００３０】
図１において、操作部１３は、これらのリング操作部２１、シャッタボタン２２及びダイヤル操作部２３ａ，２３ｂや図示しないファンクションボタンや撮影モード設定等の各種スイッチ等を含む。画像処理制御部１１中の操作判定部１１ｂは、これらの操作部１３からユーザ操作に基づく操作信号が与えられて、ユーザ操作の内容を判定するようになっている。画像処理制御部１１は、操作判定結果に基づいて、各部を制御する。
【００３１】
画像処理制御部１１は、撮像画像の記録及び再生に関する処理を行うことができる。例えば、画像処理制御部１１は、信号処理後の撮影画像を圧縮処理し、圧縮後の画像を記録部１４に与えて記録させることができる。記録部１４としては、例えばカードインターフェースを採用することができ、記録部１４はメモリカード等の記録媒体に画像情報及び音声情報等を記録可能である。
【００３２】
画像処理制御部１１の表示制御部１１ａは表示に関する各種処理を実行する。表示制御部１１ａは、信号処理後の撮影画像を背面表示部１６及びファインダ表示部（Ｆ表示部）１７に与えることができる。表示部１６，１７は、ＬＣＤ等の表示画面を有しており、表示制御部１１ａから与えられた画像を表示する。また、表示制御部１１ａは、各種メニュー表示等を表示部１６，１７の表示画面に表示させることもできるようになっている。
【００３３】
画像処理制御部１１は、記録部１４に記録されている撮像画像を読み出して伸張処理することができる。表示制御部１１ａは伸張処理された撮像画像を表示部１６，１７に与えることで、記録画像の再生が可能である。
【００３４】
背面表示部１６は、後述するように、撮像画像を表示する表示画面１６ｂを有している。また、表示画面１６ｂ上には、タッチパネル１６ａが設けられている。タッチパネル１６ａは、ユーザが指で指し示した表示画面１６ｂ上の位置に応じた操作信号を発生することができる。この操作信号は、画像処理制御部１１に供給される。これにより、画像処理制御部１１の操作判定部１１ｂは、ユーザが表示画面１６ｂ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができる。これにより、画像処理制御部１１はユーザのタッチパネル操作に対応した処理を実行することができるようになっている。
【００３５】
なお、背面表示部１６は、撮影機器１０の筐体１０ａの例えば背面の略全域を占めるように配設されており、撮影者は、撮影時に背面表示部１６の表示画面１６ｂ上に表示されたスルー画を確認することができ、スルー画を確認しながら撮影操作を行うこともできる。
【００３６】
一方、Ｆ表示部１７は、筐体１０ａの上面に設けたファインダ部１７ａに収納されている。ファインダ部１７ａの近傍にはアイセンサ１８が設けられており、アイセンサ１８は、ユーザが目をファインダ部１７ａに近接させたことを検出し、検出結果を画像処理制御部１１に出力するようになっている。表示制御部１１ａは、アイセンサ１８の検出結果によって、画像の出力先を背面表示部１６とＦ表示部１７とで切換えるようになっていてもよい。
【００３７】
画像処理制御部１１には画像効果処理部１１ｃが設けられている。画像効果処理部１１ｃは、撮像画像に所定の画像効果処理を施すことができるようになっている。画像処理制御部１１は、画像効果処理を施した撮像画像を記録部１４に与えて記録するだけでなく、画像効果処理を施した後の撮像画像をスルー画として表示制御部１１ａに与えて表示させることができるようになっている。
【００３８】
画像効果処理部１１ｃには粒度設定部１１ｄが設けられており、粒度設定部１１ｄは、粒状撮影モードにおいて、粒度を設定することができるようになっている。例えば、粒度設定部１１ｄは、撮像画像に付加する粒状性ノイズの振幅や周期を設定することで、画像表面の濃淡によるドットのサイズ及び密度を変化させる。粒度設定部１１ｄの設定によって粒状感を増減させることができる。
【００３９】
粒度の設定等の画像効果処理の設定は、ユーザの操作に従って行われる。例えば、ユーザは、ダイヤル操作部２３ａ，２３ｂ等によって粒度の調整を行う。ユーザによる粒度の調整操作は、操作判定部１１ｂによって判定される。操作判定部１１ｂは、ユーザの調整操作に基づく操作信号を粒状感効果制御部１１ｇに与える。粒状感効果制御部１１ｇは、ユーザの粒度の調整操作に対応する粒度を設定するように、粒度設定部１１ｄを制御するようになっている。粒度設定部１１ｄは、粒状感効果制御部１１ｇに制御されて、粒度を変更する。
【００４０】
本実施の形態においては、所望の粒状感が得られるか否かを確認するための視認性アシスト表示を表示させるために、時計部１５、画像効果変更判定部１１ｅ及び視認性アシスト表示制御部１１ｆが設けられている。時計部１５は画像処理制御部１１に時間情報を出力する。画像効果変更判定部１１ｅは、撮像画像に施される画像効果処理が変更されたか否かを判定する。例えば、画像効果変更判定部１１ｅは、操作判定部１１ｂによってユーザによる粒度調整操作が検出されることにより、撮像画像に施される画像効果処理が変更されたものと判定してもよい。また、例えば、画像効果変更判定部１１ｅは、画像効果処理部１１ｃの設定変更等によって、画像効果処理の変更を検出してもよい。
【００４１】
例えば、画像効果変更判定部１１ｅは、画像効果処理部１１ｃの粒度設定部１１ｄの設定変更や、粒状感効果制御部１１ｇの制御によって、粒度の設定変更を判定してもよく、また、撮像部１２からの撮像画像に対する画像解析処理によって、画像効果処理の変更を判定してもよい。
【００４２】
画像効果変更判定部１１ｅは、画像効果処理の変更を検出すると、検出結果を視認性アシスト表示制御部１１ｆに与える。視認性アシスト表示制御部１１ｆは、画像効果処理の変更が検出されると、所定期間だけ、表示制御部１１ａを制御してフレームレートを変更する制御を行う。例えば、視認性アシスト表示制御部１１ｆは、粒度の変更又は変更操作から所定の第１の期間は、撮像画像に基づく静止画像を表示し、第１の期間経過後の所定の第２の期間には通常のフレームレートよりも低いフレームレートでスルー画を表示するように、表示制御部１１ａを制御する。
【００４３】
次に、このように構成された実施の形態の動作について図４乃至図９を参照して説明する。図４は実施の形態の動作を説明するためのフローチャートである。図４はカメラ制御を示している。また、図５は撮影の様子を説明するための説明図である。
【００４４】
撮影機器１０の電源が投入されると、画像処理制御部１１は、図５のステップＳ１において粒状撮影モードが指示されたか否かを判定する。粒状撮影モードが指示されていない場合には、画像処理制御部１１は、ステップＳ２１において、他の撮影モードが指定されているか否かを判定し、指定されている場合には処理をステップＳ２２に移行して、指定されている撮影モードを実行する。また、再生モードが指定されている場合には、ステップＳ２３からステップＳ２４に移行して指定された画像の再生を行う。画像処理制御部１１は、ステップＳ２５において再生画像の変更が指示されたものと判定した場合には、ステップＳ２６において画像を変更して再生を行う。また、画像処理制御部１１は、ステップＳ２３において再生モードが指示されていない場合は、ステップＳ２７において画像ファイルの取得を行う。
【００４５】
図５に示すように、ユーザは例えば左手２５の指でリング操作部２１の部分を挟み、左右の手２５，２６で筐体１０ａを支持しながらレンズ部１２ａを被写体に向けて構える。粒状撮影モードが指示されると、画像処理制御部１１は、撮像部１２に被写体を撮像させると共に、ステップＳ２において、粒度が設定されて粒状感を付与する画像効果処理が実行中であるか否かを判定する。粒状撮影モードの開始直後は、撮像画像に粒状感を付与するフィルタ効果処理が施されていないので、画像処理制御部１１は、ステップＳ３において粒度設定部１１ｄにより初期粒度を設定させる。これにより、画像効果処理部１１ｃによって、撮像画像には初期粒度で粒状感を得る画像効果処理が施される。画像処理制御部１１は、ステップＳ４においてアイセンサ１８の検出結果に基づいてスルー画の表示を行う。即ち、画像処理制御部１１は、アイセンサ１８の検出結果によってユーザの眼がファインダ部１７ａを覗き込んでいることが示された場合には、スルー画をＦ表示部１７に表示させ、そうでない場合にはスルー画を背面表示部１６に表示させる。
【００４６】
図６は粒状撮影モード時の画面表示を説明するための説明図である。図６の例は画像各部の粒状感の変化をハッチングの変化によって示している。図６は、撮影機器１０のファインダ部１７ａの近傍に配置されたアイセンサ１８の検出結果によって、スルー画である画像３１が筐体１０ａの背面の略全域に設けられた背面表示部１６の表示画面１６ｂ上に表示されている状態を示している。画像３１中には、比較的暗い背景の画像３２と雲等の比較的明るい背景の画像３３と人物の画像３４とが含まれており、各部の画像特徴に応じた粒状感が得られている。
【００４７】
ここで、ユーザが、撮像画像の粒状感を変化させるために、粒度の設定変更操作を行うものとする。例えば、ユーザは、ダイヤル操作部２３ａの回転操作によって、粒度を設定しなおす。粒状感効果制御部１１ｇは、ステップＳ５において、操作判定部１１ｂの出力によってダイヤル操作部２３ａのリング回転を検出することで、ユーザによる粒度の調整操作が行われたか否かを判定する。例えば、ユーザが右手２６の親指２６ａによってダイヤル操作部２３ａを回転させる操作によって、粒状感効果制御部１１ｇは、ユーザが粒度の調整を行ったものと判定することができる。例えば、粒状感効果制御部１１ｇは、ユーザが左手親指２６ａを左側に動かしてダイヤル操作部２３ａを時計方向に回転させた場合には、現在の画像よりも粗い画像が得られるように粒度の調整操作を行ったものと判定し、ユーザが左手親指２６ａを右側に動かしてダイヤル操作部２３ａを反時計方向に回転させた場合には、現在の画像よりも細かい画像が得られるように粒度の調整操作を行ったものと判定してもよい。
【００４８】
このような粒度の調整操作が行われると、粒状感効果制御部１１ｇは、粒度設定部１１ｄを制御してユーザ操作に応じて粒度を変化させる（ステップＳ６）。こうして、画像効果処理部１１ｃは、ユーザ設定に応じた粒度で、撮像画像に画像効果処理を施す。
【００４９】
画像効果変更判定部１１ｅは、粒度変更操作を検出すると、視認性アシスト表示制御部１１ｆに視認性アシスト表示を表示させる。即ち、視認性アシスト表示制御部１１ｆは、ステップＳ７において、粒度変更操作からの経過時間の計測を開始し、ステップＳ８において視認性アシスト表示制御を行う。
【００５０】
図７は図６中の視認性アシスト表示制御の一例を示すフローチャートである。視認性アシスト表示制御部１１ｆは、ステップＳ１１において粒度変更操作以外の操作、例えばリング操作以外の操作が行われたか否かを判定する。リング操作以外の操作が行われていない場合には、視認性アシスト表示制御部１１ｆは、ステップＳ１２において、粒度変更操作からの経過時間が１秒を超えたか否かを判定する。超えていない場合、即ち、ユーザが粒度を変更するためのリング操作を行った後の１秒以内の期間（第１の期間）には、視認性アシスト表示制御部１１ｆは、ステップＳ１３において静止画表示を指示する。
【００５１】
表示制御部１１ａは、視認性アシスト表示制御部１１ｆに制御されて、粒度変更操作直後の画像効果処理後の撮像画像を静止画処理して、表示部１６，１７に与える。例えば、表示制御部１１ａは、背面表示部１６に、画像効果処理が施された静止画状態の撮像画像を表示する。
【００５２】
図８及び図９は第１の期間における表示画面１６ｂ上の視認性アシスト表示を説明するためのものであり、図８は粒度の調整操作に対応した粒状性ノイズの一例を示す説明図である。また、図９は粒状撮影モードにおいて粒度を変化させた場合の画像を説明するための説明図である。なお、図９はハッチングの種類によって画質の粗さ（粒状感）の変化を示しており、図９（ａ）の静止画像３１ａが最も粗い画像で、次に図９（ｂ）の静止画像３１ｂが粗く、図９（ｃ）の静止画像３１ｃは、最も滑らかな画像であることを示している。図８（ａ）乃至（ｃ）はそれぞれ図９（ｃ）乃至（ａ）に対応する。
【００５３】
図８の例は、粒度調整操作に応じて粒状性ノイズの振幅を変化させたものであり、図８（ａ）の粒状性ノイズの振幅が最も小さく、図８（ｂ）の粒状性ノイズの振幅は図８（ａ）の粒状性のノイズの振幅よりも大きく、図８（ｃ）の粒状性ノイズの振幅は最も大きい。
【００５４】
例えば、画像効果処理後の撮像画像が図８（ｂ）の粒状性ノイズか付加されて得られた図９（ｂ）の静止画像３１ｂであるものとすると、ユーザがダイヤル操作部２３ａを時計方向に回転させることで図８（ｃ）の粒状性ノイズが付加されてスルー画はより粗い図９（ａ）の静止画像３１ａに変化し、逆に、ダイヤル操作部２３ａを反時計方向に回転させることで図８（ａ）の粒状性ノイズが付加されてスルー画は滑らかな静止画像３１ｃ（図９（ｃ））に変化する。
【００５５】
このように、本実施の形態においては、ユーザによる粒度設定等の画像効果処理の設定操作から例えば１秒以内の第１の期間においては、画像効果処理後の撮像画像が静止画像として表示される。従って、ユーザは、表示画面１６ｂ上の静止画像によって、粒状感等の画像効果処理の効果を容易に確認することができる。
【００５６】
画像処理制御部１１は、ステップＳ１４において手ブレ補正の機能をオンにする。視認性アシスト表示制御部１１ｆは、粒度設定操作から１秒が経過すると、ステップＳ１５において、粒度設定操作から３秒が経過したか否かを判定する。３秒が経過するまでの期間（第２の期間）には、視認性アシスト表示制御部１１ｆは、ステップＳ１６において、スルー画のフレームレートを４ｆｐｓ（フレーム／秒）に設定する。これにより、表示部１６又は１７には、比較的低いフレームレートで画像効果処理後の撮像画像が表示される。即ち、粒度設定操作後の１秒〜３秒の期間（第２の期間）には、０．２５秒毎に撮像画像が更新されて更新された画像に対して画像効果処理が施されて表示される。また、この場合には、手ブレ補正機能がオンになっているので、手振れが生じている場合でも、比較的見やすい画像が得られる。手振れ補正処理を行うと、表示した画像と同様の構図の画像が得られる可能性が高まるので、比較が容易になる。ただし、これはエネルギーを要し、画像の追従性に影響し、ずっと行う必要もないので、例えばステップＳ１８のレリーズスイッチの半押し解除で解除されてもよい。これまで説明した静止画表示やフレームレート変更も、手振れが大きい場合やパンニング時、あるいは被写体が動いている場合は、画像の追従性が犠牲となる可能性があり、このような状況下ではステップＳ１２からＮｏに分岐しても、ステップＳ１３やステップＳ１４を省略するようにしてもよい。
ユーザは、第１及び第２の期間において、静止画又は低フレームレートの視認性アシスト表示によって、比較的容易に画像効果処理の効果を確認することができる。また、第１の期間において静止画表示されていたスルー画が第２の期間において低フレームレートのスルー画に変化することで、ユーザは、視認性アシスト表示の表示期間が終了するタイミングを比較的容易に予測することができる。
【００５７】
リング操作以外の操作が行われると、視認性アシスト表示制御部１１ｆは、ステップＳ２０において操作からの経過時間をリセットし、ステップＳ１７においてシャッタボタン２２の半押し操作の有無を判定する。視認性アシスト表示制御部１１ｆは、半押し操作が行われない場合には、ステップＳ１８において手ブレ補正機能をオフにした後、通常のフレームレートを設定する（ステップＳ１９）。これにより、表示制御部１１ａは、撮像画像を通常のフレームレート、例えば、３０ｆｐｓ，６０ｆｐｓ，１２０ｆｐｓ等の比較的高いフレームレートで表示する。また、半押し操作が行われた場合には、視認性アシスト表示制御部１１ｆは、手ブレ補正機能をオフにすることなく通常のフレームレートを設定する（ステップＳ１９）。
【００５８】
画像処理制御部１１は、図４のステップＳ９において撮影操作が行われたか否かを判定する。例えば、ユーザがシャッタボタン２２を押下操作するものとする。画像処理制御部１１は撮影操作が行われたものと判定して、処理をステップ撮影及び記録を行う（ステップＳ１０）。こうして、画像効果処理部１１ｃによって画像効果処理が施された撮像画像が記録部１４に記録される。
【００５９】
このように本実施の形態においては、粒度の設定等の画像効果処理の設定から第１の期間が経過するまでは、画像効果処理後の撮像画像を静止画によってスルー画表示し、第２の期間が経過するまではフレームレートを低減させてスルー画表示する。即ち、本実施の形態においては、静止画に対する画像効果処理の効果を静止画の状態又は低フレームレートの状態で確認するようになっており、ユーザは画像効果処理の効果を容易に確認することができる。
【００６０】
なお、上記実施の形態においては、第１の期間において静止画を表示し、第２の期間において低フレームレートでの表示を行う例を示したが、いずれか一方の期間の表示を省略してもよく、また、第１の期間に低フレームレートでの表示を行い、第２の期間に静止画での表示を行うようにしてもよい。
【００６１】
また、図４の例では、ユーザによる粒度の変更操作があった場合に、視認性アシスト表示を行う例を示したが、初期設定による画像効果処理直後においても視認性アシスト表示を表示するようにしてもよい。
【００６２】
（第２の実施の形態）
図１０は本発明の第２の実施の形態において採用される視認性アシスト表示制御を示すフローチャートである。図１０において図７と同一の手順には同一符号を付して説明を省略する。また、本実施の形態におけるハードウェア構成は第１の実施の形態と同様であり、説明を省略する。
【００６３】
第１の実施の形態においては、第１の期間に画像効果処理後の静止画を表示し、第２の期間に低フレームレートで画像効果処理後の画像を表示する例を示したが、本実施の形態は画像効果処理の変更後に十分に低いフレームレートで表示を行うと共に、通常のフレームレートまで、時間の経過と共にフレームレートを高くする例を示している。
【００６４】
視認性アシスト表示制御部１１ｆは、ステップＳ１１において、リング操作以外の操作が行われていないと判定した場合には、ステップＳ３１において、粒度変更操作直後であるか否かを判定し、ステップＳ３３において、０．５秒経過したか否かを判定する。変更操作直後の場合、即ち、ユーザが粒度を変更するためのリング操作を行った後の０．５秒以内の期間には、視認性アシスト表示制御部１１ｆは、ステップＳ３２においてフレームレートを通常の１／６４に設定する。例えば、通常のフレームレートが６４ｆｐｓの場合には、表示制御部１１ａは、１ｆｐｓで更新取得されて画像効果処理が施された撮像画像を表示することになる。
【００６５】
これにより、ユーザは、粒状感等の静止画に施された画像効果処理の効果を確認することが容易となる。
【００６６】
視認性アシスト表示制御部１１ｆは、粒度の設定操作から０．５秒が経過すると、ステップＳ３３からステップＳ３４に処理をステップＳ３４に移行して、通常フレームレートに到達したか否かを判定し、到達していない場合にはステップＳ３５においてフレームレートを２倍に設定する。即ち、粒度の設定操作から０．５秒が経過すると、フレームレートは通常のフレームレートの１／３２倍、例えば、２ｆｐｓに設定される。
【００６７】
以後、リング操作以外の操作が検出されるまでは、０．５秒毎に、ステップＳ３４，Ｓ３５の処理が繰り返される。こうして、通常のフレームレートに到達するまで、０．５秒毎にフレームレートが２倍ずつ増加する。フレームレートは徐々に通常のフレームレートに戻されることから、ユーザは視認性アシスト表示の終了タイミングを予測することができる。
【００６８】
他の構成及び作用は、第１の実施の形態と同様である。
【００６９】
なお、図１０の例では、フレームレートを操作直後に１／６４倍にし、０．５秒毎に２倍にする例を示したが、操作直後にフレームレートをいくらにするか、また、何秒毎にフレームレートをどれだけ増加させるかについては、適宜設定可能であり、また、画像効果処理の設定変更直後において、静止画を表示するようにしてもよい。
【００７０】
このように本実施の形態においても、粒度の設定変更等の画像効果処理の変更が行われると、十分に低いフレームレートで表示が行われることになり、画像効果処理後の撮像画像に付加された画像効果の確認を容易にすることができる。
【００７１】
さらに、本発明の実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよい。また、視認性を上げる用途の画像処理のかけ具合を選択する内視鏡、顕微鏡のような産業用、医療用の光学機器では、観察や診断が重要で、記録用画像は、迅速に適切なものを得ることが好ましく、画像効果処理の設定の効果が設定直後に確認できる画像効果処理支援装置は極めて有用である。
【００７２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【００７３】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００７４】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の画像効果処理支援装置を実現することができる。
【符号の説明】
【００７５】
１０…撮影機器、１１…画像処理制御部、１１ａ…表示制御部、１１ｂ…操作判定部、１１ｃ…画像効果処理部、１１ｄ…粒度設定部、１１ｅ…画像効果変更判定部、１１ｆ…視認性アシスト表示制御部、１１ｇ…粒状感効果制御部、１２…撮像部、１３…操作部、１４…記録部、１５…時計部、１６…背面表示部、１７…Ｆ表示部。
【図１】
2017017435.tif 000003
【図３】
2017017435.tif 000004
【図４】
2017017435.tif 000005
【図７】
2017017435.tif 000006
【図８】
2017017435.tif 000007
【図１０】
2017017435.tif 000008
【図２】
2017017435.tif 000009
【図５】
2017017435.tif 000010
【図６】
2017017435.tif 000011
【図９】
2017017435.tif 000012